(57)【要約】【課題】センサの状態を正確に把握することができる電子機器を提供する。【解決手段】装置の状態を検知するセンサ群１０５と、センサ群１０５の状態を格納するデータ格納手段２０４と、データ格納手段２０４を通じてセンサ群１０５の状態を読み取り各種制御を行う制御手段２０１と、センサ電源の供給と停止を制御するセンサ電源制御手段２０３と、センサ電源制御手段２０３へ一定期間ごとにセンサ電源供給制御信号を送出するタイミング制御手段２０２とを備え、データ格納手段２０４は、センサ電源供給制御信号出力後一定期間後に生成されるデータ格納タイミング信号を受けてセンサ状態の格納動作を行う電子機器。【選択図】        図２
2005044031.tif 000002
【特許請求の範囲】
【請求項１】
装置の状態を検知するセンサ群と、センサ群の状態を格納するデータ格納手段と、前記データ格納手段を通じてセンサ群の状態を読み取り各種制御を行う制御手段と、センサ電源の供給と停止を制御するセンサ電源制御手段と、前記センサ電源制御手段へ一定期間ごとにセンサ電源供給制御信号を送出するタイミング制御手段とを備え、
前記データ格納手段は、センサ電源供給制御信号出力後一定期間後に生成されるデータ格納タイミング信号を受けて前記センサ群の状態の格納動作を行うことを特徴とする電子機器。
【請求項２】
請求項１記載の電子機器において、センサ電源供給制御信号出力開始からデータ格納タイミング信号を生成するまでの期間を任意に設定可能としたことを特徴とする電子機器。
【請求項３】
請求項１記載の電子機器において、センサ電源供給制御信号は、データ格納タイミング信号の出力を受けて一定期間後にその出力を停止することを特徴とする電子機器。
【発明の詳細な説明】
【０００１】
【発明の属する技術分野】
本発明は、画像形成装置を含む電子機器に関し、特に、センサの状態を正確に把握することができるセンサ電源管理システムを有する電子機器に関するものである。
【０００２】
【従来の技術】
電子機器の消費電力を節減するために、従来から装置が省エネルギー状態にあるときは省エネルギー解除要因の監視以外の個所の電源を遮断する方式が取り入れられている。また、動作中の素子に関しても、特許文献１で示されるように状態検知を行う時のみ状態検知素子に電源を与え、消費電力を低減する技術が提案されている。
【特許文献１】特開２００１−７５６８５公報
【０００３】
【発明が解決しようとする課題】
しかしながら、上記従来技術では、その状態検知を行う時のみ状態検知素子に電源を与える実現手段が具体的に開示されていないばかりか、センサへの電源が供給されていない時にセンサのデータを読みに行くと正しくない値が出力されるという問題も生じる。
本発明は、センサの状態を正確に把握することができる電子機器を提供することを目的とする。
【０００４】
【課題を解決するための手段】
上記目的を達成するために、請求項１記載の発明は、装置の状態を検知するセンサ群と、センサ群の状態を格納するデータ格納手段と、データ格納手段を通じてセンサ群の状態を読み取り各種制御を行う制御手段と、センサ電源の供給と停止を制御するセンサ電源制御手段と、センサ電源制御手段へ一定期間ごとにセンサ電源供給制御信号を送出するタイミング制御手段とを備え、データ格納手段は、センサ電源供給制御信号出力後一定期間後に生成されるデータ格納タイミング信号を受けてセンサ状態の格納動作を行う電子機器を最も主要な特徴とする。
請求項１記載の電子機器においては、センサへの電源供給後一定期間後のデータのみを格納することで、センサの電源がオフのときの誤った状態を示すデータを取り込んでしまうのを防ぐことが可能となる。
請求項２記載の発明は、請求項１記載の電子機器において、センサ電源供給制御信号出力開始からデータ格納タイミング信号を生成するまでの期間を任意に設定可能とした電子機器を主要な特徴とする。
請求項２記載の電子機器においては、センサへ電源を供給してからデータを取り込むまでのタイミングを調整することで、電源供給後の不安定な状態でデータを格納するのを防ぐことが可能となる。
請求項３記載の発明は、請求項１記載の電子機器において、センサ電源供給制御信号は、データ格納タイミング信号の出力を受けて一定期間後にその出力を停止する電子機器を主要な特徴とする。
請求項３記載の電子機器においては、データの格納されるタイミングを受けてセンサへの電源供給を止めるので、確実にデータを格納でき、また無駄にセンサで電力が消費されるのを防ぐことが可能となる。
【０００５】
【発明の実施の形態】
以下、本発明の実施の形態を図面に従って説明する。
図１は本発明が実施されたデジタル複合機のシステム構成を示すブロック図である。
このデジタル複合機は、主にエンジン制御ユニット１０１、スキャナユニット１０２、画像処理ユニット１０３、書込みユニット１０４、センサ群１０５、シーケンス機器群１０６、操作パネル１０７、画像メモリ１０８、電源管理ユニット１０９、プリンタコントローラ１１０、ファクシミリユニット１１１等からなる。
以上の構成において、例えばコピー指示がなされると、スキャナユニット１０２が原稿を読み取り、画像処理ユニット１０３に画像データを転送する。画像処理ユニット１０３では画質調整、変倍等を行い、書込みユニット１０４に処理後のデータを送る。書込みユニット１０４は、受け取ったデータに従ってレーザ素子を駆動し、感光体上に光書込みを行う。
これらの動作は、各種センサ群１０５の入力を元にエンジン制御ユニット１０１によって制御され、感光体及び定着ユニット等のシーケンス機器群１０６も同様にエンジン制御ユニット１０１に制御されて記録紙に画像を形成する。また、操作者の指示は操作パネル１０７によってなされ、エンジン制御ユニット１０１に伝えられる。
上記動作の中で、センサ群１０５の出力データは図２で示すデータ格納手段２０４に蓄えられ、エンジン制御ユニット１０１は一定期間おきにデータ格納手段２０４の取り込んだ値を確認することで、センサ群１０５の出力結果、すなわち機器の状態を検知する。
図２は、図１に示したデジタル複合機の要部であるセンサ電源管理システムのブロック図、図３は、図２の各部におけるタイミングチャートである。
制御装置２０１は、上記エンジン制御ユニット１０１の構成要素であり、メインとなるマイコンなどを示す。タイミング制御手段２０２は、センサ電源供給制御信号とデータ格納パルス（データ格納タイミング信号）を生成、送出する。センサ電源制御手段２０３は、センサ電源供給制御信号を受けてセンサ群１０５に電源を供給する。
センサ群１０５は、センサ電源制御手段２０３から電源の供給があるときに正常に動作し、検出したデータを出力する。データ格納手段２０４はタイミング制御手段２０２からのデータ格納パルスによってセンサ出力を格納し、これを制御装置２０１が定期的、または不定期に読み取る。
【０００６】
次に、上記センサ電源管理システムの動作例を、図３のタイミングチャートを参照して説明する。
タイミング制御手段２０２は、センサ電源供給周期として設定された一定の周期でセンサ電源供給制御信号をオン状態とし、電源制御手段２０３に送出する（図２、図３の（Ａ）参照）。このときの周期は、制御装置２０１が最新のセンサデータを読み込めるように、制御装置２０１がデータ格納手段２０４にデータの読み込みを行う時の周期と同じかそれより短くする必要がある。
電源制御手段２０３はタイミング制御手段２０２からのセンサ電源供給制御信号を受け、オンであればセンサ群１０５への駆動電源を供給する。電源供給を受けたセンサ群１０５は検知対象の状態によって変化するセンサ出力信号をデータ格納手段２０４へ送出する（図２、図３の（Ｂ）参照）。
タイミング制御手段２０２は、センサ電源供給制御信号をオン状態とした後、センサ群１０５への電源供給開始からセンサ群１０５の出力が安定するまでの期間を満たすよう設定された一定期間をおいてデータ格納パルス（データ格納タイミング信号）を生成し、データ格納手段２０４へ送出する（図２、図３の（Ｃ）参照）。データ格納手段２０４はこのパルスを受けてセンサ群１０５からのデータを確定させ、記憶領域に取り込む（図２、図３の（Ｄ）参照）。
また、タイミング制御手段２０２ではデータ格納パルス生成後、データ格納動作が完了するまでの期間を満たすよう設定された一定期間をおいた後、センサ電源供給制御信号をオフ状態とする（図２、図３の（Ｅ）参照）。
制御装置２０１は、（Ｄ）において確定したデータ格納手段２０４のセンサ群１０５からのデータを一定周期で読み取り、センサ群１０５の状態検知を行う（図２、図３の（Ｆ）参照）。この制御装置２０１が確定データを読み取りに行くタイミングは、格納データが確定すなわち変化するタイミングと重ならないよう、データの確定から一定の遅延を持って双方が同期化されているものが好ましいが、全く非同期にデータを読みに行くことも可能である。
【０００７】
【発明の効果】
以上説明したように、請求項１の電子機器においては、センサへの電源供給後一定期間後のデータのみを格納することで、センサの電源がオフのときの誤った状態を示すデータを取り込んでしまうのを防ぐことが可能となる。
請求項２の電子機器においては、センサへ電源を供給してからデータを取り込むまでのタイミングを調整することで、電源供給後の不安定な状態でデータを格納するのを防ぐことが可能となる。
請求項３の電子機器においては、データの格納されるタイミングを受けてセンサへの電源供給を止めるので、確実にデータを格納でき、また無駄にセンサで電力が消費されるのを防ぐことが可能となる。
【図面の簡単な説明】
【図１】本発明が適用されるデジタル複合機のシステム構成を示すブロック図。
【図２】本発明のデジタル複合機の要部であるセンサ電源管理システムのブロック図。
【図３】図２の各部におけるタイミングチャート。
【符号の説明】
１０５  センサ群
２０１  制御装置（制御手段）
２０２  タイミング制御手段
２０３  センサ電源制御手段
２０４  データ格納手段
【図１】
2005044031.tif 000003
【図２】
2005044031.tif 000004
【図３】
2005044031.tif 000005